(57)【要約】【課題】  台風等の強風発生時において、戸板が外れてしまうことを防止する戸板外れ防止具を提供する。【解決手段】  戸板外れ防止具１０は、全体が長尺状の本体部１１と、当該本体部１１の長手方向の一端の側面に固定された第１の止着部材１２と、当該本体部１１の長手方向の他端の側面に固定された第２の止着部材１３と、本体部１１の側面に設けられた緩衝部材１４とから構成されている。この戸板外れ防止具は、雨戸枠の大きさに合わせて伸縮が可能であり、薄板状の第１の止着部材１２及び第２の止着部材１３を雨戸枠２と戸板３の間に差し込むことにより、固定されていることから他の道具を用いることなく、簡便な着脱を容易にしている。また、戸板幅中央部の雨戸枠上下に架け渡して固定することにより、強風に弱い戸板中央部分を防護し、雨戸枠の補強を行って戸板が外れるのを防止している。【選択図】図２
2006194063.tif 000002
【特許請求の範囲】
【請求項１】
戸板と当該戸板が嵌め込まれる雨戸枠とを有する雨戸に対して取り付けられ、上記戸板が上記雨戸枠から外れることを防止する戸板外れ防止具において、
上側止着部材が設けられた上側基体と、
下側止着部材が設けられた下側基体と、
上記上側基体と上記下側基体とを連結する連結部とを備え、
上記上側止着部材は、上記上側基体における下側基体が連結されていない方の端部に固定されており、戸板上側辺が嵌め込まれる雨戸上枠と戸板との隙間に挿入可能とされ、
上記下側止着部材は、上記下側基体における上側基体が連結されていない方の端部に固定されており、戸板下側辺が嵌め込まれる雨戸下枠と戸板との隙間に挿入可能とされ、
上記連結部は、上記上側止着部材と上記下側止着部材との間隔を変化可能とするとともに、上記上側止着部材と上記下側止着部材とが離れる方向に付勢した状態で、上記上側基体と上記下側基体とを連結していること
を特徴とする戸板外れ防止具。
【請求項２】
請求項１に記載された戸板外れ防止具において、
上記下側基体の内部には支持部とバネとが設けられており、支持部により連結部の位置を調節できることを特徴とする戸板外れ防止具。
【請求項３】
請求項１に記載された戸板外れ防止具において、
上記上側基体及び下側基体には、上記戸板との接触面に緩衝部材が貼り付けられており、上記上側基体及び下側基体と戸板との接触音及び摩擦による劣化を防ぐことを特徴とする戸板外れ防止具。
【請求項４】
請求項１に記載された戸板外れ防止具において、
上記上側止着部材を雨戸上枠と戸板の間に差し込むとともに上記下側止着部材を雨戸下枠と戸板の間に差し込むことにより、付勢により上記上側基体及び上記下側基体を戸板に対して固定される簡便な着脱を特徴とする戸板外れ防止具。
【請求項５】
スラット板と当該スラット板が嵌め込まれるサッシ枠とを有するシャッタ装置に対して取り付けられ、上記スラット板が上記サッシ枠から外れることを防止するスラット板外れ防止具において、
左側止着部材が設けられた左側基体と、
右側止着部材が設けられた右側基体と、
上記左側基体と上記右側基体とを連結する連結部とを備え、
上記左側止着部材は、上記左側基体における右側基体が連結されていない方の端部に固定されており、スラット板左側辺が嵌め込まれる左サッシ枠とスラット板との隙間に挿入可能とされ、
上記右側止着部材は、上記右側基体における左側基体が連結されていない方の端部に固定されており、スラット板右側辺が嵌め込まれる右サッシ枠とスラット板との隙間に挿入可能とされ、
上記連結部は、上記左側止着部材と上記右側止着部材との間隔を変化可能とするとともに、上記左側止着部材と上記右側止着部材とが離れる方向に付勢した状態で、上記左側基体と上記右側基体とを連結していること
を特徴とするスラット板外れ防止具。
【発明の詳細な説明】
【技術分野】
【０００１】
本発明は、戸板が雨戸枠から外れることを防止する戸板外れ防止具、及び、シャッタ装置のスラット板がサッシ枠から外れることを防止するスラット板外れ防止具に関するものである。
【背景技術】
【０００２】
雨戸やシャッタ装置は、建物の、例えば窓開口部に取付けられ、風雨を防いだり、防犯のために使用されている。
【０００３】
しかしながら、台風等の強風が発生すると雨戸の戸板が雨戸枠から外れて飛ばされてしまったり、シャッタ装置のスラット板がサッシ枠から外れて飛ばされてしまうことがある。
【０００４】
そこで、強風発生時において、例えば戸板が外れてしまうことを防止する戸板外れ防止具が提案されている（例えば、特許文献１）。
【０００５】
特許文献１に示された従来の戸板外れ防止具は、棒状となっており、その上端を雨戸上枠にねじ止めし、その下端を雨戸下枠にねじ止めすることにより、雨戸を固定するものである。
【０００６】
【特許文献１】特開平９−２０３２８０号公報
【発明の開示】
【発明が解決しようとする課題】
【０００７】
ところで、例えば２００４年における四国地方のように１年間に６回の台風に見舞われた場合、戸板外れ防止具を何度も取り付けたり、取り外したりしなければならない。
【０００８】
しかしながら、特許文献１に示される従来の戸板外れ防止具は、取り付け及び取り外し作業にねじ止めを必要とすることからその作業ははなはだ面倒であり、１年間に何度も取り付け取り外しをするのはユーザにとってとても億劫である。
【０００９】
本発明の目的は、以上のような問題を解決し、雨戸、シャッタ装置への取り付け及び取り外し作業が非常に簡単であり、また、どのようなサイズの雨戸、シャッタ装置に対しても自在に取り付けが可能な戸板及びスラット板の外れ防止具を提供することである。
【課題を解決するための手段】
【００１０】
本発明に係る戸板外れ防止具は、戸板と当該戸板が嵌め込まれる雨戸枠とを有する雨戸に対して取り付けられ、上記戸板が上記雨戸枠から外れることを防止する戸板外れ防止具であって、上側止着部材が設けられた上側基体と、下側止着部材が設けられた下側基体と、上記上側基体と上記下側基体とを連結する連結部とを備え、上記上側止着部材は、上記上側基体における下側基体が連結されていない方の端部に固定されており、戸板上側辺が嵌め込まれる雨戸上枠と戸板との隙間に挿入可能とされ、上記下側止着部材は、上記下側基体における上側基体が連結されていない方の端部に固定されており、戸板下側辺が嵌め込まれる雨戸下枠と戸板との隙間に挿入可能とされ、上記連結部は、上記上側止着部材と上記下側止着部材との間隔を変化可能とするとともに、上記上側止着部材と上記下側止着部材とが離れる方向に付勢した状態で、上記上側基体と上記下側基体とを連結していることを特徴とする。
【００１１】
また、本発明に係るスラット板外れ防止具は、スラット板と当該スラット板が嵌め込まれるサッシ枠とを有するシャッタ装置に対して取り付けられ、上記スラット板が上記サッシ枠から外れることを防止するスラット板外れ防止具において、左側止着部材が設けられた左側基体と、右側止着部材が設けられた右側基体と、上記左側基体と上記右側基体とを連結する連結部とを備え、上記左側止着部材は、上記左側基体における右側基体が連結されていない方の端部に固定されており、スラット板左側辺が嵌め込まれる左サッシ枠とスラット板との隙間に挿入可能とされ、上記右側止着部材は、上記右側基体における左側基体が連結されていない方の端部に固定されており、スラット板右側辺が嵌め込まれる右サッシ枠とスラット板との隙間に挿入可能とされ、上記連結部は、上記左側止着部材と上記右側止着部材との間隔を変化可能とするとともに、上記左側止着部材と上記右側止着部材とが離れる方向に付勢した状態で、上記左側基体と上記右側基体とを連結していることを特徴とする。
【発明の効果】
【００１２】
本発明に係る戸板外れ防止具では、長尺状の部材の両端に例えば薄板状の止着部材を設け、その止着部材を上下の雨戸枠と戸板との隙間に挿入して長尺状の部材を雨戸の外側から固定することにより、雨戸が外れるのを防止している。
【００１３】
同時に本発明に係る戸板外れ防止具では、長尺状の部材は長手方向の長さが変化可能となっているとともに長手方向の外側に向けて付勢されている。
【００１４】
このことにより本発明に係る戸板外れ防止具では、雨戸に対する取り付け及び取り外し作業が非常に簡単であり、さらに、どのようなサイズの雨戸に対しても自在に取り付けが可能となる。
【００１５】
また、本発明に係るスラット板外れ防止具では、戸板外れ防止具と同様に、長尺状の部材の両端に例えば薄板状の止着部材を設け、その止着部材を左右のサッシ枠とスラット板との隙間に挿入して長尺状の部材をシャッタ装置の外側から固定することにより、シャッタ装置のスラット板が外れるのを防止している。
【００１６】
本発明に係るスラット板外れ防止具では、長尺状の部材は長手方向の長さが変化可能となっているとともに長手方向の外側に向けて付勢されている。
【００１７】
このことにより本発明に係るスラット板外れ防止具では、シャッタ装置に対する取り付け及び取り外し作業が非常に簡単であり、さらに、どのようなサイズのシャッタ装置に対しても自在に取り付けが可能となる。
【発明を実施するための最良の形態】
【００１８】
以下、本発明が適用された雨戸の戸板外れ防止具について図面を参照して説明をする。
【００１９】
（戸板外れ防止具を雨戸に取り付けた状態）
図１は、本発明が適用された戸板外れ防止具１０が、雨戸１に取り付けられた状態を示した図である。
【００２０】
戸板外れ防止具１０は、図１に示すように、全体が長尺状となっており、長手方向を縦に向けた状態で雨戸１の雨戸枠２に取り付けられ、戸板３の上端から下端に垂直に架け渡されて当該戸板３を固定している。このとき、戸板外れ防止具１０は、長手方向の上端が雨戸上枠４に固定され、下端が雨戸下枠５に固定されるので、戸板３が雨戸枠から外れないように固定される。
【００２１】
（全体構成）
図２は、本発明が適用された戸板外れ防止具１０の外観斜視図である。
【００２２】
戸板外れ防止具１０は、全体が長尺状の本体部１１と、当該本体部１１の長手方向の一端（雨戸１に取り付けられたときに上側に位置する方の端部。以下、上端と呼ぶ。）の側面に固定された第１の止着部材１２と、当該本体部１１の長手方向の他端（雨戸１に取り付けられたときに下側に位置する方の端部。以下、下端と呼ぶ。）の側面に固定された第２の止着部材１３と、本体部１１の側面に設けられた緩衝部材１４とから構成されている。
【００２３】
本体部１１は、長手方向（図２中Ｙ１，Ｙ２方向）に伸縮するとともに、長手方向の外側に向けて例えばバネにより付勢がされている。従って、本体部１１は、第１の止着部材１２と第２の止着部材１３との間隔が自在に変化するとともに、第１の止着部材１２と第２の止着部材１３とをその間隔が離れるように付勢がされている。また、本体部１１は、ステンレス又はアルミニウム等又はこれらの材料と同等の強度を有する材料から形成されている。
【００２４】
第１の止着部材１２及び第２の止着部材１３は、薄板状の形状となっている。第１の止着部材１２及び第２の止着部材１３は、ステンレス又はアルミニウム等又はこれらの材料と同等の強度を有する材料から形成されている。
【００２５】
第１の止着部材１２は、一方の面が本体部１１の上端の側面部分に接合されていることにより、当該本体部に取り付けられている。第２の止着部材１３は、一方の面が本体部１１の下端の側面部分に接合されていることにより、当該本体部に取り付けられている。第１の止着部材１２及び第２の止着部材１３は、その主面が本体部１１の長手方向（図２中Ｙ１，Ｙ２方向）に対して平行となり、且つ、互いの主面同士が平行となるように本体部１１に設けられている。
【００２６】
第１の止着部材１２及び第２の止着部材１３は、このように本体部１１に設けられていることによって、当該戸板外れ防止具１０を雨戸１に取り付けたときに、その主面の全体が戸板３の主面に対して突き当てられることとなる。
【００２７】
また、第１の止着部材１２及び第２の止着部材１３は、本体部１１の末端位置より外側にはみ出した状態で、すなわち、長尺状の本体部１１の端面より一部分が外側に突出した状態で、本体部１１に設けられている。また、第１の止着部材１２は、その厚さが、戸板３の外側主面と雨戸上枠４との間の隙間の間隔とほぼ同等の厚さとなっている。また、第２の止着部材１３は、その厚さが、戸板３の外側主面と雨戸下枠５との間の隙間の間隔とほぼ同等の厚さとなっている。
【００２８】
このため、第１の止着部材１２は、本体部１１の端面よりはみ出ている部分が、戸板３の外側主面と雨戸上枠４との間の隙間に挿入可能となる。また、第２の止着部材１３は、本体部１１の端面よりはみ出ている部分が、戸板３の外側主面と雨戸上枠４との間の隙間に挿入可能となる。
【００２９】
緩衝部材１４は、本体部１１の第１の止着部材１２及び第２の止着部材１３が設けられている側面部分に設けられている。緩衝部材１４は、樹脂等の弾性がある材料から形成されている。この緩衝部材１４が設けられていることによって、戸板外れ防止具１０を雨戸１に取り付けている状態で、戸板３と本体部１１との接触による衝撃、摩擦による劣化や接触による音を防ぐことができる。
【００３０】
（伸縮及び付勢のための構造等）
つぎに、本体部１１の伸縮及び付勢のための構造、及び、当該本体部１１の付加的な機構についてさらに詳細に説明をする。
【００３１】
図３及び図４は、本体部１１の内部構造を模式的に示した図である。図３は、本体部１１が最も伸びている状態の図であり、図４は、本体部１１が最も縮んでいる状態の図である。
【００３２】
本体部１１は、第１の止着部材１２が端部に設けられた長尺状の第１の基体２１と、第２の止着部材１３が端部に設けられた長尺状の第２の基体２２とを備えている。
【００３３】
第１の基体２１は、棒状の基部２５と、基部２５の第１の止着部材１２が設けられていない側の端面から長手方向に伸びた棒状のガイド軸２６とから構成されている。基部２５の長手方向に直交する方向の断面の外周形状は、正方形であり、上記第２の基体２２の長手方向に直交する方向の断面の外周形状と同一の大きさである。ガイド軸２６の長手方向に直交する方向の断面の外周形状は、正方形であり、第２の基体２２の長手方向に直交する方向の断面の内周形状と同一の大きさである。
【００３４】
第２の基体２２は、内部に中空部２４が形成されているパイプ状の形状となっている。第２の基体２２の長手方向に直交する方向の断面の外周形状及び内周形状は、正方形となっている。
【００３５】
このような第１の基体２１のガイド軸２６が、第２の基体２２の中空部２４の第２の止着部材１３が設けられていない側の開口部から挿入される。このようにガイド軸２６が中空部２４に挿入されていることにより、第１の基体２１と第２の基体２２とが長手方向に連結される。
【００３６】
さらに、ガイド軸２６が中空部２４の長手方向に沿って上下に移動する。このため、本体部１１は、長手方向に伸縮することとなる。つまり、第１の止着部材１２と第２の止着部材１３との間隔が自在に変化する。
【００３７】
また、第１の基体２１の側面には規制孔３１が形成され、第２の基体２２の中空部２４には規制ピン３２が架渡されている。
【００３８】
規制孔３１は、長手方向（図３，図４のＹ１，Ｙ２方向）に直交する方向に貫通している孔である。規制ピン３２は、中空部２４の挿入口近傍における対向する内側面に、長手方向（図３，図４のＹ１，Ｙ２方向）に直交する方向に架渡されている。規制ピン３２は、ガイド軸２６が中空部２４に挿入されている状態のときには、規制孔３１に挿通されている。規制ピン３２は、本体部１１が伸びきった状態であっても、規制孔３１及び規制ピン３２によって、ガイド軸２６が中空部２４から抜け落ちず、連結状態が維持される。規制孔３１は、後述するバネ３３による付勢により伸縮可能な長さで、かつ後述する本体部１１全体の長さ調節による本体部１１全体長の変化可能な長さの孔が長手方向に形成されている。
【００３９】
また、第２の基体２２の中空部２４の内部には、ガイド軸３１を付勢するバネ３３と、バネ３３の一端を固定する支持部３４とが設けられている。
【００４０】
支持部３４は、中空部２４の内周形状と同一の断面とされた四角柱の形状となっている。支持部３４は、中空部２４の内部に挿入され、螺子軸３５により中空部２４の長手方向の所定の位置に固定されている。
【００４１】
バネ３３は、圧縮加重を受けると押し返す、いわゆる圧縮コイルばねである。バネ３３は、中空部２４の内部に挿入されている。バネ３３の挿入位置は、支持部３４と、ガイド軸２６の下側端面との間である。そのため、バネ３３は、ガイド軸２６を上側に向けて（すなわち、第１の基体２１を長手方向の外側に向けて）付勢をしている。
【００４２】
このようにバネ３３及び支持部３４が設けられていることにより、第１の止着部材１２と第２の止着部材１３とが、その間隔が離れるように付勢がされる。
【００４３】
なお、外から何ら力を加えない状態では、本体部１１の長手方向の長さが最も長くなっている状態、すなわち、第１の止着部材１２と第２の止着部材１３とが最も離れている状態となるように、バネ３３及び支持部３４並びにガイド軸２６の位置及び大きさ、及び、バネ３３のバネ力が設定されている。
【００４４】
（雨戸への取り付け方法）
つぎに、戸板外れ防止具１０を雨戸１に取り付ける際の取り付け方法について説明をする。
【００４５】
まず、雨戸１の構成について説明をする。
【００４６】
図５は、サッシ枠と一体とされた雨戸１の断面図である。
【００４７】
雨戸１は、平板状の戸板３と、住宅の外壁に設けられている雨戸枠２とから構成される。
【００４８】
雨戸枠２は、図５に示すように、例えば、網戸やサッシ等の枠であるサッシ枠５１の外側に、当該サッシ枠５１と一体的に形成されている。
【００４９】
雨戸枠２は、戸板３の上側辺５２が嵌め込まれる雨戸上枠４と、戸板３の下側辺５３が嵌め込まれる雨戸下枠５とを備えている。
【００５０】
雨戸上枠４は、戸板３が内側にずれることを規制する垂直の内側規制辺６１と、戸板３が外側に外れることを規制する垂直の外側規制辺６２と、内側規制辺６１及び外側規制辺６２に対して連続に形成された天板６３とから構成され、全体として下向きの凹状の形状となっている。
【００５１】
雨戸下枠５は、戸板３が内側にずれることを規制する垂直の内側規制辺６４と、戸板３が外側に外れることを規制する垂直の外側規制辺６５と、内側規制辺６４及び外側規制辺６５に対して連続に形成された底板６６とから構成され、全体として上向きの凹状の形状となっている。
【００５２】
このような構成の雨戸１では、雨戸上枠４の凹状部分に戸板３の上側辺５２が嵌め込まれるとともに、雨戸下枠５の凹状部分に戸板３の下側辺５３が嵌め込まれ、戸板３を垂直に保持している。
【００５３】
以上のような雨戸１に対して、戸板外れ防止具１０を取り付ける場合、次のように行う。
【００５４】
まず、人間の手により戸板外れ防止具１０を縮めた状態、すなわち、第１の止着部材１２と第２の止着部材１３との間隔を短くした状態とする。
【００５５】
続いて、図６に示すように、戸板外れ防止具１０を垂直に立てた状態にして、戸板３の幅方向の略中央近辺に、第１の止着部材１２及び第２の止着部材１３の主面を戸板３の外側主面に当接させる。
【００５６】
続いて、雨戸下枠５の外側規制辺６２と戸板３の外側主面との間の隙間部分に、第２の止着部材１３を挿入する。
【００５７】
続いて、戸板外れ防止具１０に加えている力を抜き、図７に示すように、雨戸上枠４の外側規制辺６２と戸板３の外側主面との間の隙間部分に、第１の止着部材１２を挿入する。
【００５８】
最後に、戸板外れ防止具１０を支えている手を離す。
【００５９】
以上のように戸板外れ防止具１０では、雨戸枠２の大きさに合わせて伸縮が可能であり、薄板状の第１の止着部材１２及び第２の止着部材１３を雨戸枠２と戸板３の間に差し込まれる。この結果、バネ３３による上下方向の外側への付勢力により、第１の止着部材１２の上側辺が天板６３に突き当たり、下側試着部材１３の下側辺が底板６６に突き当たることにより、雨戸枠２に固定されている。
【００６０】
このため、他の道具を用いることなく、簡便に着脱することができる。また、戸板３の幅中央部の雨戸枠上下に架け渡して固定することにより、強風に弱い戸板中央部分を防護し、雨戸枠の補強を行って戸板が外れるのを防止している。
【００６１】
さらに、以上のような戸板外れ防止具１０は、雨戸１に取り付けられた状態であっても、戸板３を横方向にスライドさせることができる。このため、戸板外れ防止具１０が取り付けられた状態であっても、戸板３の開閉を自由にできるので、非常に便利である。また、雨戸を使用しない状態においては、戸板外れ防止具１０を雨戸枠の端、つまり目立たない箇所に取付けることにより、保管場所にも困らない。
【００６２】
（長さについて並びに変形例について）
本体部１１の長手方向の長さは、最も伸びきった状態、つまり、可動範囲中最も長い状態で、雨戸１の上辺から下辺までの長さ以上となるような長さに調整がされている。
【００６３】
また、本体部１１の長手方向の長さは、最も縮みきった状態、つまり、可動範囲中最も短い状態で、上述したように雨戸１に対する取り付け作業を行うことが可能であればよい。具体的には、可動範囲は、本体部１１の上端から第１の止着部材１２がはみ出している部分の長さと、本体部１１の下端から第２の止着部材１３がはみ出している部分の長さとを加算した程度の長さがあればよい。
【００６４】
ところが、この可動範囲が長ければ長いほど良い。これは、本体部１１の長さが短くなれば、小型の雨戸１に対しても取り付けることが可能となるためである。
【００６５】
従って、本発明が適用された戸板外れ防止具１０では、本体部１１の範囲を充分に長く設定することにより、多種類サイズの雨戸１に取り付けることが可能となる。
【００６６】
もっとも、可動範囲は、少なくともバネ３３の長さ以上にはすることはできない。
【００６７】
そこで、例えば、図８及び図９に示すように、支持部３４を固定する螺子軸３５の螺子孔７１を、第２の基体２２の側面に長手方向に対して複数箇所形成しておき、さらに、抜け落ち防止のための規制ピン３２の取り付け孔７２も第２の基体２２の側面に長手方向に対して複数箇所形成しておく。このことにより、最も伸びきった状態の戸板外れ防止具１０の全長及び最も縮んだ状態の戸板外れ防止具１０の全長を変えることができる。従って、さらに、多種類のサイズの雨戸１に、当該戸板外れ防止具１０を取り付けることが可能となる。
【００６８】
また、螺子軸３５の上に支持部３４を載せることにより、可動範囲の調整を行っても良い。
【００６９】
さらに、戸板外れ防止具１０においては、第１の基体２１が基部２５とガイド軸２６とから構成されていることについて述べたが、これに限らず、基部２５とガイド軸２６とを別体に設け、第２の基体２２と同様に、基部２５の内部にガイド軸２６が挿入されるような構成にし、基部２５及びガイド軸２６の長手方向と直交する方向に螺子軸を複数箇所設けるようにしてもよい。このようにすると、さらに、最も伸びきった状態の戸板外れ防止具１０の全長及び最も縮んだ状態の戸板外れ防止具１０の全長を変えることができ、多種類のサイズの雨戸１に、当該戸板外れ防止具１０を取り付けることが可能となる。
【００７０】
また、戸板外れ防止具１０は、図８及び図９に示すように、第１の止着部材１２の上部から、上方に向けて突き出した倒れ防止ピン７３をさらに設けても良い。このようにすることによって、図１０に示すように、雨戸上枠４の天板６３に予めドリル等により孔７４を形成しておき、当該孔７４に倒れ防止ピン７３を挿入するように戸板外れ防止具１０を雨戸１に取り付けることができる。このことによって、戸板外れ防止具１０の倒れが防止される。
【００７１】
また、戸板外れ防止具１０は、図８及び図９に示すように、第２の止着部材１３の下辺の長さを広くしてもよい。このようにすることにより、戸板外れ防止具１０を雨戸１に取り付けたときに、当該戸板外れ防止具１０が倒れることを防止することができる。
【００７２】
（スラット板外れ防止具について）
次に、本発明の他の実施の形態として示すシャッタ装置におけるスラット板外れ防止具について説明する。
【００７３】
図１１は、本発明が適用されたスラット板外れ防止具８０が、シャッタ装置１００に取付けられた状態を示した図である。
【００７４】
スラット板外れ防止具８０は、上述の戸板外れ防止具１０と同様の構成を有し、図１１に示すように、全体が長尺状となっており、長手方向を水平に向けた状態でシャッタ装置１００のスラット板１０２が嵌め込まれる左右のサッシ枠１０１（以下、左側に位置するものを左側サッシ枠１０１Ｌ、右側に位置するものを右側サッシ枠１０１Ｒという。）に取り付けられ、シャッタ装置１００のスラット板１０２に水平に架け渡されて当該スラット板１０２を固定している。このとき、スラット板外れ防止具８０は、長手方向の左端が左側サッシ枠１０１Ｌに固定され、右端が右側サッシ枠１０１Ｒに固定されるので、スラット板１０２がシャッタ装置１００のサッシ枠１０１から外れないように固定される。
【００７５】
スラット板外れ防止具８０は、水平方向に延設された雨戸枠２に対し垂直に取付けられる上述の戸板外れ防止具１０を、垂直方向に延設されるシャッタ装置１００のサッシ枠１０１に対し垂直に取付けるようにしたものである。
【００７６】
スラット板外れ防止具８０は、図２に示すように、全体が長尺状の本体部１１と、当該本体部１１の長手方向の一端（シャッタ装置１００に取り付けられたときに左側に位置する方の端部。）の側面に固定された第１の止着部材１２と、当該本体部１１の長手方向の他端（シャッタ装置１００に取り付けられたときに右側に位置する方の端部。）の側面に固定された第２の止着部材１３と、本体部１１の側面に設けられた緩衝部材１４とから構成されている。
【００７７】
本体部１１は、長手方向（図２中Ｙ１，Ｙ２方向）に伸縮するとともに、長手方向の外側に向けて例えばバネにより付勢がされている。従って、本体部１１は、第１の止着部材１２と第２の止着部材１３との間隔が自在に変化するとともに、第１の止着部材１２と第２の止着部材１３とをその間隔が離れるように付勢がされている。
【００７８】
なお、スラット板外れ防止具８０の全体構成、伸縮及び付勢のための構造は、戸板外れ防止具１０と同様の構成を有するため、その詳細な説明は省略する。
【００７９】
次に、スラット板外れ防止具８０が取付けられるシャッタ装置１００の構成について説明をする。
【００８０】
シャッタ装置１００は、短冊状のスラットを連結させシャッタ装置１００の開口部を遮蔽・開放するスラット板１０２と、住宅の外壁に設けられているサッシ枠１０１と、シャッタ装置１００の開口部の開放時にスラット板１０２が収納される収納部１０３（図１１参照）とから構成されている。
【００８１】
サッシ枠１０１は、図１２に示すように、例えば、網戸や窓枠等の枠であるサッシ枠１１０の外側に、当該サッシ枠１１０と一体的に形成されている。サッシ枠１０１は、スラット板１０２の左側辺１０２Ｌが嵌め込まれる左側サッシ枠１０１Ｌと、スラット板１０２の右側辺１０２Ｒが嵌め込まれる右側サッシ枠１０１Ｒとを備えている。
【００８２】
左側サッシ枠１０１Ｌは、スラット板１０２が内側にずれることを規制する水平の内側規制辺１０４と、スラット板１０２が外側に外れることを規制する水平の外側規制辺１０５と、内側規制辺１０４及び外側規制辺１０５に対して連続に形成された連結辺１０６とから構成され、全体として右向きの凹状の形状となっている。
【００８３】
右側サッシ枠１０２Ｒは、スラット板１０２が内側にずれることを規制する水平の内側規制辺１０７と、スラット板１０２が外側に外れることを規制する水平の外側規制辺１０８と、内側規制辺１０７及び外側規制辺１０８に対して連続に形成された連結辺１０９とから構成され、全体として左向きの凹状の形状となっている。
【００８４】
このような構成のシャッタ装置１００では、左側サッシ枠１０１Ｌの凹状部分にスラット板１０２の左側辺１０２Ｌが嵌め込まれるとともに、右側サッシ枠１０１Ｒの凹状部分にスラット板１０２の右側辺１０２Ｒが嵌め込まれ、スラット板１０２を水平に保持している。
【００８５】
以上のようなシャッタ装置１００に対して、スラット板外れ防止具８０は、図１２に示すように、第１の止着部材１２が外側規制辺１０５とスラット板１０２の外側主面との隙間部分に挿嵌されるとともに、第２の止着部材１３が外側規制辺１０８とスラット板１０２の外側主面との隙間部分に挿嵌される。また、スラット板外れ防止具８０は、バネ３３による付勢力により、長手方向の両端部にあたる第１の止着部材１２及び第２の止着部材１３の端辺が、それぞれ連結辺１０６、１０９に突き当たり、サッシ枠１０１に固定されている。
【００８６】
このため、スラット板外れ防止具８０は、上述の戸板外れ防止具１０と同様の構成を有し同様の方法で取り付けるので、他の道具を用いることなく、簡便に着脱することができる。また、スラット板外れ防止具８０は、シャッタ装置１００の開口部の略中央部で、左側サッシ枠１０１Ｌ及び右側サッシ枠１０１Ｒに架け渡して固定することにより、強風によりスラット板１０２がサッシ枠１０１から外れるのを防止している。
【００８７】
さらに、以上のようなスラット板外れ防止具８０は、第１の止着部材１２が連結辺１０６に、第２の止着部材１３が連結辺１０９に突き当たった状態でシャッタ装置１００に固定されるので、シャッタ装置１００に取り付けられた状態であっても、シャッタ装置１００のスラット板１０２の開閉を行うことができ、大変便利である。また、シャッタ装置１００の開口部が開放された状態、つまりスラット板１０２を収納部１０３に収納した状態においては、スラット板外れ防止具８０を収納部１０３近傍、つまり目立たない箇所に取付けることにより、保管場所にも困らない。
【図面の簡単な説明】
【００８８】
【図１】本発明が適用された戸板外れ防止具が、雨戸に取り付けられた状態を示した図である。
【図２】本発明が適用された戸板外れ防止具の斜視図である。
【図３】本体部が最も伸びている状態での内部構造を模式的に示した図である。
【図４】本体部が縮んでいる状態での内部構造を模式的に示した図である。
【図５】サッシ枠と一体とされた雨戸の断面図である。
【図６】戸板外れ防止具の下側が、雨戸の下側に挿入された状態を示す図である。
【図７】戸板外れ防止具が、雨戸に取り付けられた状態を示す図である。
【図８】他の形態の戸板外れ防止具の斜視図である。
【図９】他の形態の戸板外れ防止具の内部構造を模式的に示した図である。
【図１０】倒れ防止ピンが設けられた戸板外れ防止具が、雨戸に取り付けられた状態を示す図である。
【図１１】本発明が適用されたスラット板外れ防止具が、シャッタ装置に取付けられた状態を示した図である。
【図１２】スラット板外れ防止具が、サッシ枠に取付けられた状態を示す断面図である。
【符号の説明】
【００８９】
１  雨戸、２  雨戸枠、３  戸板、４  雨戸上枠、５  雨戸下枠、１０  戸板外れ防止具、１１  本体部、１２  第１の止着部材、１３  第２の止着部材、８０  スラット板外れ防止具、１００  シャッタ装置、１０１  サッシ枠、１０２  スラット板、１０３  収納部
【図１】
2006194063.tif 000003
【図２】
2006194063.tif 000004
【図３】
2006194063.tif 000005
【図４】
2006194063.tif 000006
【図５】
2006194063.tif 000007
【図６】
2006194063.tif 000008
【図７】
2006194063.tif 000009
【図８】
2006194063.tif 000010
【図９】
2006194063.tif 000011
【図１０】
2006194063.tif 000012
【図１１】
2006194063.tif 000013
【図１２】
2006194063.tif 000014